(57)【要約】【課題】  電子キーとしての利用価値を通信端末に対して柔軟に付与することが可能な作動制御装置及び電子キーシステムを提供すること。【解決手段】  対応する携帯電話２（携帯電話３）が電子キーとして利用されると、該携帯電話２（携帯電話３）のメインＩＤコード（サブＩＤコード）に関連付けされているメイン作動許可内容（サブ作動許可内容）で制御対象の作動が許可される。つまり、電子キーとしての利用価値が携帯電話毎に個別に付与されることになる。従って、電子キーとしての利用価値を携帯電話２（携帯電話３）に対して柔軟に付与することができる。【選択図】      図１
2005273264.tif 000002
【特許請求の範囲】
【請求項１】
対応する通信端末が利用されることに基づいて制御対象の作動を許可する制御手段を備えた作動制御装置において、
通信端末毎に個別に設定されたＩＤコードと同一のＩＤコードを、両ＩＤコードが一致したことを条件としてどのような態様で制御対象の作動が許可されるのかの指標となる作動許可内容と関連付けして記憶する記憶手段を備え、
前記制御手段は、両ＩＤコードが一致したことを条件として、該一致したＩＤコードに関連付けされている作動許可内容で制御対象の作動を許可することを特徴とする作動制御装置。
【請求項２】
請求項１に記載の作動制御装置において、
前記記憶手段は、主となる通信端末に個別に設定されたメインＩＤコードと同一のメインＩＤコードをメイン作動許可内容と関連付けして記憶するものであるとともに、前記主となる通信端末とは異なる補助的な通信端末に個別に設定されたサブＩＤコードと同一のサブＩＤコードをサブ作動許可内容と関連付けして記憶するものであり、
前記サブ作動許可内容は、前記メイン作動許可内容を限度として制限がかけられたものであることを特徴とする作動制御装置。
【請求項３】
請求項２に記載の作動制御装置において、
前記サブ作動許可内容は、前記メイン作動許可内容を限度として、制御対象の作動が許可される際の該作動許可の種類毎の有効回数、及び制御対象の作動が許可される際の該作動許可の種類毎の有効期間のうち少なくともいずれか一方に制限がかけられたものであることを特徴とする作動制御装置。
【請求項４】
対応する通信端末が利用されることに基づいて、請求項１〜請求項３のいずれか１項に記載の作動制御装置により制御対象の作動が許可される電子キーシステムであって、
主となる通信端末は、該主となる通信端末とは異なる補助的な通信端末に個別に設定されるサブＩＤコードを、両サブＩＤコードが一致したことを条件として作動制御装置によりどのような態様で制御対象の作動が許可されるのかの指標となる作動許可内容であるサブ作動許可内容と関連付けして該補助的な通信端末に送信する第１送信手段を備えたことを特徴とする電子キーシステム。
【請求項５】
請求項４に記載の電子キーシステムにおいて、
前記主となる通信端末は、前記第１送信手段により補助的な通信端末に送信される情報であって、サブＩＤコードとサブ作動許可内容とが関連付けされた情報を作動制御装置に送信する第２送信手段をさらに備えたことを特徴とする電子キーシステム。
【発明の詳細な説明】
【技術分野】
【０００１】
本発明は、制御対象の作動を許可する作動制御装置、及びその作動制御装置により制御対象の作動が許可される電子キーシステムに関する。
【背景技術】
【０００２】
従来より、自動車においては、セキュリティレベルの向上と利便性の向上とを両立させることを目的として、ドアアンロック自動許可機能やエンジン始動自動許可機能を有する電子キーシステムが提案されている（例えば、特許文献１を参照。）。ここで、ドアアンロック自動許可機能とは、対応する電子キーを所持している運転者が車外の所定領域に進入してきた場合に、自動車側のドアアンロック制御装置により車載ドアのアンロックを自動的に許可する機能である。尚、このように車載ドアのアンロックが許可されている状態でドアアウトサイドハンドルに触れると車載ドアがアンロックされる。一方、エンジン始動自動許可機能とは、対応する電子キーが車内に持ち込まれた場合に、自動車側のエンジン始動制御装置によりエンジンの始動を自動的に許可する機能である。尚、このようにエンジンの始動が許可されている状態でエンジン始動スイッチ（例えばロータリスイッチ又はプッシュスイッチ等）を操作するとエンジンが始動される。
【０００３】
このため、これらの自動許可機能を用いると、乗車時やエンジン始動時において煩雑なキー操作を一切行う必要がない。従って、利便性を向上させることができる。しかも、従来のメカニカルキーと比較して複製が格段に困難な電子キーを所持していなければ車載ドアのアンロックやエンジンの始動が許可されない。従って、セキュリティレベルを向上させることができる。
【０００４】
ところで、近年、携帯電話機（以下、単に携帯電話と称す）が急速に発達、普及し、自動車に搭乗する者は携帯電話を所持しているのが一般的であり、携帯電話の機能も進歩している。そこで、上記のような自動車の電子キーシステムにおいて、携帯電話を電子キーとして利用する技術的思想も提案されている（例えば、特許文献２、特許文献３を参照。）。
【特許文献１】特開２００２−０２９３８５号公報
【特許文献２】特開２００３−１２００９７号公報
【特許文献３】特開２００３−１３７０７０号公報
【発明の開示】
【発明が解決しようとする課題】
【０００５】
さて、上記のような自動車の電子キーシステムにおいて、自動車の所有者以外の者に自動車を貸与する場合、当然のことながら電子キーの貸借が発生することになる。つまり、自動車の所有者（貸出元）が所有する携帯電話（貸出元の携帯電話）を電子キーとして利用する電子キーシステムの場合、自動車を貸与された者（貸出先）に貸出元の携帯電話を貸与する必要がある。
【０００６】
しかしながら、携帯電話は、このように電子キーシステムに供されるものである一方で、本来、電子キーシステム以外の用途に主に用いられるものである。このため、上記のように自動車を貸与するのに伴って、携帯電話をも併せて貸与してしまうと、貸出元において携帯電話を一時的であれ使用することができなくなるという不都合が生じてしまう。
【０００７】
本発明は、このような問題点に着目してなされたものであって、その目的は、電子キーとしての利用価値を通信端末に対して柔軟に付与することが可能な作動制御装置及び電子キーシステムを提供することにある。
【課題を解決するための手段】
【０００８】
上記の目的を達成するために、請求項１に記載の発明では、対応する通信端末が利用されることに基づいて制御対象の作動を許可する制御手段を備えた作動制御装置において、通信端末毎に個別に設定されたＩＤコードと同一のＩＤコードを、両ＩＤコードが一致したことを条件としてどのような態様で制御対象の作動が許可されるのかの指標となる作動許可内容と関連付けして記憶する記憶手段を備え、前記制御手段は、両ＩＤコードが一致したことを条件として、該一致したＩＤコードに関連付けされている作動許可内容で制御対象の作動を許可することを特徴とする。
【０００９】
従って、請求項１に記載の発明によれば、対応する通信端末が電子キーとして利用されると、該通信端末のＩＤコードに関連付けされている作動許可内容で制御対象の作動が許可される。つまり、電子キーとしての利用価値が通信端末毎に個別に付与されることになる。
【００１０】
請求項２に記載の発明では、請求項１に記載の作動制御装置において、前記記憶手段は、主となる通信端末に個別に設定されたメインＩＤコードと同一のメインＩＤコードをメイン作動許可内容と関連付けして記憶するものであるとともに、前記主となる通信端末とは異なる補助的な通信端末に個別に設定されたサブＩＤコードと同一のサブＩＤコードをサブ作動許可内容と関連付けして記憶するものであり、前記サブ作動許可内容は、前記メイン作動許可内容を限度として制限がかけられたものであることを特徴とする。
【００１１】
従って、請求項２に記載の発明によれば、主となる通信端末以外にも補助的な通信端末（例えば、主となる通信端末の所有者以外の者が所有する通信端末）が電子キーとして利用されることに基づいて制御対象の作動が許可される。ここで、請求項２の構成とは異なり、補助的な通信端末が電子キーとして利用されるのに際して、主となる通信端末と同様の作動許可内容（メイン作動許可内容）で制御対象の作動が許可されるような構成を採用した場合、主となる通信端末の所有者の意志に反した態様で制御対象の作動が許可されてしまう虞があって好ましくない。これに対し、請求項２の構成によれば、主となる通信端末の所有者の意志の元で予め決定された作動許可内容（サブ作動許可内容）をサブＩＤコードに関連付けしておくことで、補助的な通信端末が電子キーとして利用されるのに際して、主となる通信端末の所有者の意志が反映されることになる。従って、柔軟性を損なうことなく、高いセキュリティレベルを維持することができる。
【００１２】
請求項３に記載の発明では、請求項２に記載の作動制御装置において、前記サブ作動許可内容は、前記メイン作動許可内容を限度として、制御対象の作動が許可される際の該作動許可の種類毎の有効回数、及び制御対象の作動が許可される際の該作動許可の種類毎の有効期間のうち少なくともいずれか一方に制限がかけられたものであることを特徴とする。
【００１３】
従って、請求項３に記載の発明によれば、有効回数及び有効期間のうち少なくともいずれか一方をサブＩＤコードに関連付けしておくことで、請求項２に記載の発明の作用、効果を好適に得ることができる。
【００１４】
請求項４に記載の発明では、対応する通信端末が利用されることに基づいて、請求項１〜請求項３のいずれか１項に記載の作動制御装置により制御対象の作動が許可される電子キーシステムであって、主となる通信端末は、該主となる通信端末とは異なる補助的な通信端末に個別に設定されるサブＩＤコードを、両サブＩＤコードが一致したことを条件として作動制御装置によりどのような態様で制御対象の作動が許可されるのかの指標となる作動許可内容であるサブ作動許可内容と関連付けして該補助的な通信端末に送信する第１送信手段を備えたことを特徴とする。
【００１５】
従って、請求項４に記載の発明によれば、請求項１〜請求項３のいずれか１項に記載の発明の作用、効果と同様の作用、効果を得ることができる。
請求項５に記載の発明では、請求項４に記載の電子キーシステムにおいて、前記主となる通信端末は、前記第１送信手段により補助的な通信端末に送信される情報であって、サブＩＤコードとサブ作動許可内容とが関連付けされた情報を作動制御装置に送信する第２送信手段をさらに備えたことを特徴とする。
【００１６】
従って、請求項５に記載の発明によれば、請求項１〜請求項３のいずれか１項に記載の発明の作用、効果と同様の作用、効果を得ることができる。
【発明の効果】
【００１７】
本発明は、以上のように構成されているため、次のような効果を奏する。
請求項１〜請求項５のいずれか１項に記載の発明によれば、電子キーとしての利用価値を通信端末に対して柔軟に付与することができる。
【発明を実施するための最良の形態】
【００１８】
以下、本発明を自動車の電子キーシステムに具体化した一実施形態を説明する。
図１に示すように、電子キーシステム１は、主となる携帯電話２と作動制御装置４とを備えている。主となる携帯電話２は、運転者（自動車の所有者）によって所持されるものである。これに対し、作動制御装置４は、自動車側に設けられるものである。そして、電子キーシステム１は、主となる携帯電話２と作動制御装置４との双方向通信が可能に構成されている。
【００１９】
前記携帯電話２は、受信機能及び送信機能を有している。即ち、携帯電話２は、携帯電話機能部２１、アプリケーション制御部２２、近距離無線通信ユニット２３を備えている。携帯電話機能部２１は、携帯電話２を電話機として利用するために必要な機能（電子メールの送信機能及び受信機能を含む）を有している。アプリケーション制御部２２は、携帯電話２を利用してサーバ５から通信ネットワーク６を介してアプリケーションソフトをダウンロードするために必要な機能を有している。近距離無線通信ユニット２３は、通信回路２４、マイコン２５を備えている。尚、携帯電話２は、特に図示しないが、各種情報を表示するための表示部、主となる携帯電話２の所有者（運転者＝自動車の所有者）により押圧操作可能なボタンを有する操作部等を備えている。
【００２０】
通信回路２４は、作動制御装置４から送信されてくるリクエスト信号を受信するためのものである。そして、通信回路２４は、作動制御装置４からのリクエスト信号を受信すると、そのリクエスト信号を復調して受信信号を生成し、その受信信号をマイコン２５に出力する。
【００２１】
マイコン２５は、図示しないＣＰＵ、ＲＯＭ、ＲＡＭ等からなるＣＰＵユニットであり、不揮発性のメモリ２５ａを備えている。ここで、図２（ａ）に示すように、携帯電話２のメモリ２５ａには、複数のメモリ領域（本実施形態では、第１のメモリ領域〜第Ｎのメモリ領域）が割り当てられている。各メモリ領域の各々は、アプリケーション制御部２２によりダウンロードされるアプリケーションソフトを記憶するためのものである。加えて、各メモリ領域の各々は、外部から送信されてくる電子メールに添付されてくるデータを記憶するためのものでもある。尚、図２（ａ）には、如何なるアプリケーションソフトも全くダウンロードされておらず、且つ如何なる電子メールも全く受信されていない状態（初期状態）が示してある。
【００２２】
そして、主となる携帯電話２が電子キーとして利用される場合、該利用に先立って、前記初期状態から運転者により携帯電話２が利用されてサーバ５から通信ネットワーク６を介して所定のアプリケーションソフトがダウンロードされる。本実施形態では、主となる携帯電話２を電子キーとして利用するために必要なアプリケーションソフトがダウンロードされる。具体的には、運転者により、運転者自身が所有する自動車の製造メーカのサイトにアクセスされ、そのサイトに保存されている複数のアプリケーションソフトの中から、運転者自身が所有する自動車の種類（車種）、製造年式等に対応するアプリケーションソフトが選択されてダウンロードされる。
【００２３】
尚、該アプリケーションソフトには、図２（ｂ）に示すように、アプリケーションＩＤコード、携帯電話固有ＩＤコード、通信暗号化アルゴリズム、作動許可内容が含まれている。ここで、アプリケーションＩＤコードとは、携帯電話２のメモリ２５ａに割り当てられた複数のメモリ領域のうち、所定のメモリ領域を特定するためのＩＤコードである。本実施形態のアプリケーションＩＤコードとは、携帯電話２を電子キーとして利用するために必要なアプリケーションソフトを記憶するために割り当てられたメモリ領域を特定するためのＩＤコードである。そして、本実施形態では、このようなアプリケーションＩＤコードと第２のメモリ領域とが関連付けされている結果、図２（ｂ）に示すように、携帯電話２を電子キーとして利用するために必要なアプリケーションソフトが該第２のメモリ領域に記憶されることになる。
【００２４】
一方、携帯電話２のメモリ２５ａに記憶される携帯電話固有ＩＤコードとは、主となる携帯電話２に個別に設定されたＩＤコード（主となる携帯電話２のＩＤコード＝メインＩＤコード）である。
【００２５】
他方、通信暗号化アルゴリズムとは、携帯電話２と作動制御装置４との双方向通信を確立させるために作動制御装置４から送信されてくるリクエスト信号を携帯電話２に適応する方式で復調することで、該リクエスト信号を携帯電話２で好適に受信できるようにするために用いられるアルゴリズムである。また、同通信暗号化アルゴリズムとは、前記リクエスト信号に応答して携帯電話２から前記携帯電話固有ＩＤコードを含む信号（メインＩＤコード信号）を送信するのに際して、該信号を作動制御装置４に適応する方式で変調することで、該信号が作動制御装置４で好適に受信されるようにするために用いられるアルゴリズムでもある。つまり、通信暗号化アルゴリズムとは、携帯電話２と作動制御装置４との双方向通信が円滑に行われるようにするためのアルゴリズムであると言える。
【００２６】
最後に、携帯電話２のメモリ２５ａに記憶される作動許可内容とは、主となる携帯電話２が電子キーとして利用されるのに際して、どのような態様で制御対象の作動が許可されるのかの指標となるものである。本実施形態において、携帯電話２のメモリ２５ａに記憶される作動許可内容（メイン作動許可内容）とは、制御対象の作動が許可される際の該作動許可の種類毎の有効回数、及び制御対象の作動が許可される際の該作動許可の種類毎の有効期間がいずれも、該作動許可の種類に拘わらず全て無制限に設定されたものである。
【００２７】
マイコン２５は、上記のように前記通信回路２４から受信信号が入力されると、リクエスト信号に応答するために、メモリ２５ａに記憶されている前記携帯電話固有ＩＤコード（主となる携帯電話２のＩＤコード＝メインＩＤコード）を含む信号、つまりメインＩＤコード信号を前記通信回路２４に出力する。前記通信回路２４は、マイコン２５から入力されたメインＩＤコード信号を所定周波数（本実施形態では２．４５ＧＨｚ）の電波に変調して送信するためのものでもある。
【００２８】
これに対し、作動制御装置４は、主となる携帯電話２との双方向通信に関連して、送信機能及び受信機能を有している。即ち、作動制御装置４は、車外通信ユニット４１、車内通信ユニット４２、照合ＥＣＵ４３を備えている。
【００２９】
車外通信ユニット４１は、ドアアンロック自動許可機能に供されるものである。そして、車外通信ユニット４１は、照合ＥＣＵ４３から入力されるリクエスト信号を所定周波数（本実施形態では２．４５ＧＨｚ）の電波に変調して送信する。尚、このように車外通信ユニット４１から送信されるリクエスト信号は、車外において、ドアアウトサイドハンドルから０．７ｍ〜１．０ｍまでの範囲内に及ぶように、送信アンテナの配置、送信アンテナの指向性、リクエスト信号の出力が設定されている。その結果、本実施形態では、図３に２点鎖線で示す車外通信領域Ａ４１の範囲内にリクエスト信号が送信されることとする。ちなみに、このように車外通信ユニット４１から送信されるリクエスト信号は、ドアアウトサイドハンドルの周辺に形成される前記車外通信領域Ａ４１内において、携帯電話２と作動制御装置４との双方向通信を確立させるためのものである。
【００３０】
また、同車外通信ユニット４１は、前記リクエスト信号に応答して携帯電話２から送信されてくるメインＩＤコード信号を受信すると、そのメインＩＤコード信号を復調して受信信号を生成し、その受信信号を照合ＥＣＵ４３に出力する。
【００３１】
照合ＥＣＵ４３は、図示しないＣＰＵ、ＲＯＭ、ＲＡＭ等からなるＣＰＵユニットであり、不揮発性のメモリ４３ａを備えている。
ここで、照合ＥＣＵ４３のメモリ４３ａには、図４（ａ）に示すように、携帯電話毎に個別に設定されたＩＤコードと同一のＩＤコード（自動車側のＩＤコード）が、両ＩＤコードが一致したことを条件としてどのような態様で制御対象の作動が許可されるのかの指標となる作動許可内容と関連付けされて記憶されている。本実施形態では、主となる携帯電話２に個別に設定されたＩＤコード（メインＩＤコード）と同一のＩＤコード（自動車側のメインＩＤコード）が、メイン作動許可内容と関連付けされて記憶されている。このメイン作動許可内容とは、主となる携帯電話２のメモリ２５ａ（図２（ｂ）参照）に記憶されているものと同一である。つまり、該メイン作動許可内容とは、制御対象の作動が許可される際の該作動許可の種類毎の有効回数、及び制御対象の作動が許可される際の該作動許可の種類毎の有効期間がいずれも、該作動許可の種類に拘わらず全て無制限に設定されたものである。
【００３２】
尚、主となる携帯電話２を電子キーとして利用する場合、該利用に先立って、携帯電話２と作動制御装置４とを対応させるための登録作業が必要であるが、該登録作業は本発明の要部ではないため割愛する。そして、本実施形態では、利便性を損なうことなく、高いセキュリティレベルを維持して行われる好適な該登録作業を経て、図４（ａ）に示すように、メインＩＤコードがメイン作動許可内容と関連付けされて照合ＥＣＵ４３のメモリ４３ａに記憶されることとする。
【００３３】
ここで、照合ＥＣＵ４３は、前記車外通信領域Ａ４１にリクエスト信号を送信するために、車外通信ユニット４１にリクエスト信号を出力する。つまり、この場合、照合ＥＣＵ４３は、車外通信制御を実行する。
【００３４】
また、同照合ＥＣＵ４３は、前記車外通信制御に基づいて、車外通信ユニット４１から受信信号が入力されると、その受信信号に含まれている携帯電話２のＩＤコード（メインＩＤコード）と、メモリ４３ａに記憶されている自動車側のメインＩＤコードとが一致しているか否かを判断する。つまり、この場合、照合ＥＣＵ４３は、車外メインＩＤコード照合を実行する。
【００３５】
そして、同照合ＥＣＵ４３は、前記車外メインＩＤコード照合により両メインＩＤコードが一致したと判断した場合、該一致したメインＩＤコードに関連付けされている作動許可内容（メイン作動許可内容）に車載ドアのアンロック許可が含まれているか否かを判断する。ここで、本実施形態において、メインＩＤコードに関連付けされているメイン作動許可内容は、車載ドアのアンロック許可を含む作動許可の全ての種類に対して有効回数及び有効期間が無制限に設定されていることから、前記判断に際して照合ＥＣＵ４３により肯定判断されることになる。
【００３６】
そして、この照合ＥＣＵ４３には、ドアＥＣＵ５０が電気的に接続されている。そして、照合ＥＣＵ４３は、前記車外メインＩＤコード照合により両メインＩＤコードが一致して、且つメインＩＤコードに関連付けされている作動許可内容（メイン作動許可内容）に車載ドアのアンロック許可が含まれていると判断したことを条件として、ドアＥＣＵ５０にドアアンロック許可信号を出力する。つまり、この場合、照合ＥＣＵ４３は、ドアアンロック許可制御を実行する。
【００３７】
ドアＥＣＵ５０は、車載ドアをアンロックさせるためのものである。ドアＥＣＵ５０には、タッチセンサ５５が電気的に接続されている。
タッチセンサ５５は、ドアアウトサイドハンドルに触れられると、その旨の検出信号をドアアウトサイドハンドルに触れられている期間に亘ってドアＥＣＵ５０に出力する。そして、ドアＥＣＵ５０は、タッチセンサ５５から入力される検出信号に基づいて、ドアアウトサイドハンドルに触れられている旨を検出する。
【００３８】
そして、ドアＥＣＵ５０は、上記のように照合ＥＣＵ４３からドアアンロック許可信号が入力されている状態で、ドアアウトサイドハンドルに触れられている旨を検出すると、図示しないアクチュエータを制御することにより車載ドアをアンロックさせる。
【００３９】
このように本実施形態の電子キーシステム１は、車外通信ユニット４１と照合ＥＣＵ４３とが協働することで、対応する携帯電話２（電子キー）を所持している運転者が車外通信領域Ａ４１に進入してきた場合に、車載ドアのアンロックを自動的に許可する機能、つまりドアアンロック自動許可機能を有している。尚、該運転者が車外通信領域Ａ４１に進入してくる行動は不定であるが、このような行動がある度に、上記のようなドアアンロック自動許可機能を有効にする必要がある。このため、照合ＥＣＵ４３は、対応する携帯電話２を所持している運転者の接近を監視するため、車載ドアがロックされている状態において、車外通信ユニット４１にリクエスト信号を間欠的に出力する。
【００４０】
一方、車内通信ユニット４２は、エンジン始動自動許可機能に供されるものである。そして、車内通信ユニット４２は、照合ＥＣＵ４３から入力されるリクエスト信号を所定周波数（本実施形態では２．４５ＧＨｚ）の電波に変調して送信する。尚、このように車内通信ユニット４２から送信されるリクエスト信号は、車内の略全域に及ぶように、且つ車外に極力漏れないように、送信アンテナの数、送信アンテナの配置、送信アンテナの指向性、リクエスト信号の出力が設定されている。その結果、本実施形態では、図３に２点鎖線で示す車内通信領域Ａ４２の範囲内にリクエスト信号が送信されることとする。ちなみに、このように車内通信ユニット４２から送信されるリクエスト信号は、車内の略全域に亘って形成される前記車内通信領域Ａ４２内において、携帯電話２と作動制御装置４との双方向通信を確立させるためのものである。
【００４１】
また、同車内通信ユニット４２は、前記リクエスト信号に応答して携帯電話２から送信されてくるメインＩＤコード信号を受信すると、そのメインＩＤコード信号を復調して受信信号を生成し、その受信信号を照合ＥＣＵ４３に出力する。
【００４２】
ここで、照合ＥＣＵ４３は、前記車内通信領域Ａ４２にリクエスト信号を送信するために、車内通信ユニット４２にリクエスト信号を出力する。つまり、この場合、照合ＥＣＵ４３は、車内通信制御を実行する。
【００４３】
また、同照合ＥＣＵ４３は、前記車内通信制御に基づいて、車内通信ユニット４２から受信信号が入力されると、その受信信号に含まれている携帯電話２のＩＤコード（メインＩＤコード）と、メモリ４３ａに記憶されている自動車側のメインＩＤコードとが一致しているか否かを判断する。つまり、この場合、照合ＥＣＵ４３は、車内メインＩＤコード照合を実行する。
【００４４】
そして、同照合ＥＣＵ４３は、前記車内メインＩＤコード照合により両メインＩＤコードが一致したと判断した場合、該一致したメインＩＤコードに関連付けされている作動許可内容（メイン作動許可内容）にエンジンの始動許可が含まれているか否かを判断する。ここで、本実施形態において、メインＩＤコードに関連付けされているメイン作動許可内容は、エンジンの始動許可を含む作動許可の全ての種類に対して有効回数及び有効期間が無制限に設定されていることから、前記判断に際して照合ＥＣＵ４３により肯定判断されることになる。
【００４５】
そして、この照合ＥＣＵ４３には、ＥＦＩＥＣＵ６０が電気的に接続されている。そして、照合ＥＣＵ４３は、前記車内メインＩＤコード照合により両メインＩＤコードが一致して、且つメインＩＤコードに関連付けされている作動許可内容（メイン作動許可内容）にエンジンの始動許可が含まれていると判断したことを条件として、ＥＦＩＥＣＵ６０にエンジン始動許可信号を出力する。つまり、この場合、照合ＥＣＵ４３は、エンジン始動許可制御を実行する。
【００４６】
ＥＦＩＥＣＵ６０は、エンジンを始動させるためのものである。ＥＦＩＥＣＵ６０には、ブレーキスイッチ７０及びエンジン始動スイッチ８０が電気的に接続されている。
ブレーキスイッチ７０は、ブレーキ操作が行われている旨を検出するためのものである。ブレーキスイッチ７０は、図示しないブレーキペダルが踏み込まれると、その旨の検出信号をブレーキペダルが踏み込まれている期間に亘ってＥＦＩＥＣＵ６０に出力する。そして、ＥＦＩＥＣＵ６０は、ブレーキスイッチ７０から入力される検出信号に基づいて、ブレーキ操作が行われている旨を検出する。
【００４７】
エンジン始動スイッチ８０は、運転者により押圧操作可能なボタンを備えたプッシュスイッチにより構成されている。エンジン始動スイッチ８０は、ボタンが押圧されると、その旨の検出信号をボタンが押圧されている期間に亘ってＥＦＩＥＣＵ６０に出力する。そして、ＥＦＩＥＣＵ６０は、エンジン始動スイッチ８０から入力される検出信号に基づいて、エンジン始動スイッチ８０が操作されている旨を検出する。
【００４８】
そして、ＥＦＩＥＣＵ６０は、上記のように照合ＥＣＵ４３からエンジン始動許可信号が入力されている状態で、ブレーキ操作が行われている旨を検出して、且つエンジン始動スイッチ８０が操作されている旨を検出すると、図示しないセルモータを制御することによりエンジンを始動させる。
【００４９】
前記照合ＥＣＵ４３には、ドアカーテシスイッチ９０が電気的に接続されている。ドアカーテシスイッチ９０は、車載ドアの開閉状態を検出するためのものである。ドアカーテシスイッチ９０は、車載ドアが開けられると、その旨の検出信号を車載ドアが開けられている期間に亘って照合ＥＣＵ４３に出力する。また、同ドアカーテシスイッチ９０は、車載ドアが閉められると、その旨の検出信号を車載ドアが閉められている期間に亘って照合ＥＣＵ４３に出力する。そして、照合ＥＣＵ４３は、ドアカーテシスイッチ９０から入力される検出信号に基づいて、車載ドアの開閉状態を検出する。
【００５０】
このように本実施形態の電子キーシステム１は、車内通信ユニット４２と照合ＥＣＵ４３とが協働することで、対応する携帯電話２（電子キー）が車内に持ち込まれた場合に、エンジンの始動を自動的に許可する機能、つまりエンジン始動自動許可機能を有している。尚、照合ＥＣＵ４３は、このようなエンジン始動自動許可機能を有効にするために、車載ドアが開けられたことをトリガとして、車内通信ユニット４２にリクエスト信号を間欠的に出力する。
【００５１】
次に、電子キーシステム１の特徴的な構成について説明する。
図１に示すように、本実施形態の電子キーシステム１は、補助的な携帯電話３をさらに備えている。補助的な携帯電話３は、運転者（主となる携帯電話２の所有者）以外の者によって所持されるものである。そして、電子キーシステム１は、補助的な携帯電話３と作動制御装置４との双方向通信も可能に構成されている。
【００５２】
前記携帯電話３は、受信機能及び送信機能を有している。即ち、携帯電話３は、携帯電話機能部３１、アプリケーション制御部３２、近距離無線通信ユニット３３を備えている。携帯電話機能部３１は、携帯電話３を電話機として利用するために必要な機能（電子メールの送信機能及び受信機能を含む）を有している。アプリケーション制御部３２は、携帯電話３を利用してサーバ５から通信ネットワーク６を介してアプリケーションソフトをダウンロードするために必要な機能を有している。近距離無線通信ユニット３３は、通信回路３４、マイコン３５を備えている。尚、携帯電話３は、特に図示しないが、各種情報を表示するための表示部、補助的な携帯電話３の所有者により押圧操作可能なボタンを有する操作部等を備えている。
【００５３】
通信回路３４は、作動制御装置４から送信されてくるリクエスト信号を受信するためのものである。そして、通信回路３４は、作動制御装置４からのリクエスト信号を受信すると、そのリクエスト信号を復調して受信信号を生成し、その受信信号をマイコン３５に出力する。
【００５４】
マイコン３５は、図示しないＣＰＵ、ＲＯＭ、ＲＡＭ等からなるＣＰＵユニットであり、不揮発性のメモリ３５ａを備えている。ここで、図５（ａ）に示すように、携帯電話３のメモリ３５ａには、複数のメモリ領域（本実施形態では、第１のメモリ領域〜第Ｍのメモリ領域）が割り当てられている。各メモリ領域の各々は、アプリケーション制御部３２によりダウンロードされるアプリケーションソフトを記憶するためのものである。加えて、各メモリ領域の各々は、外部から送信されてくる電子メールに添付されてくるデータを記憶するためのものでもある。尚、図５（ａ）には、如何なるアプリケーションソフトも全くダウンロードされておらず、且つ如何なる電子メールも全く受信されていない状態（初期状態）が示してある。
【００５５】
そして、補助的な携帯電話３が電子キーとして利用される場合、該利用に先立って、所定のデータが添付された電子メールが、主となる携帯電話２の携帯電話機能部２１から補助的な携帯電話３に送信されてくる。本実施形態では、所定のデータとして、補助的な携帯電話３を電子キーとして利用するために必要なアプリケーションソフトが添付された電子メールが、主となる携帯電話２から補助的な携帯電話３に送信されてくる。
【００５６】
ここで、本実施形態では、自動車の所有者以外の者に自動車を貸与する場合において、電子キー（主となる携帯電話２）の貸借が発生しないようにすることを最大の特徴点としている。つまり、本実施形態では、主となる携帯電話２が供される自動車と、補助的な携帯電話３が供される自動車とが同一のものであることが前提となる。このようなことから、補助的な携帯電話３を電子キーとして利用するために必要なアプリケーションソフトとして、主となる携帯電話２を電子キーとして利用するために必要なアプリケーションソフトの少なくとも一部を兼用することが可能である。その結果、補助的な携帯電話３の所有者自身が該アプリケーションソフトをダウンロードする必要はなく簡便である。
【００５７】
従って、図５（ａ）に示す前記初期状態から該電子メールが受信されると、図５（ｂ）に示すように、携帯電話３のメモリ３５ａ、詳しくは第２のメモリ領域には、アプリケーションＩＤコード、携帯電話固有ＩＤコード、通信暗号化アルゴリズム、作動許可内容が記憶される。ここで、アプリケーションＩＤコードとは、携帯電話３のメモリ３５ａに割り当てられた複数のメモリ領域のうち、所定のメモリ領域を特定するためのＩＤコードである。本実施形態のアプリケーションＩＤコードとは、主となる携帯電話２から送信されてくる電子メールに添付されてくるデータを記憶するために割り当てられたメモリ領域を特定するためのＩＤコードである。そして、本実施形態では、このようなアプリケーションＩＤコードと第２のメモリ領域とが関連付けされている結果、図５（ｂ）に示すように、主となる携帯電話２から送信されてくる電子メールに添付されてくるデータが該第２のメモリ領域に記憶されることになる。
【００５８】
一方、携帯電話３のメモリ３５ａに記憶される携帯電話固有ＩＤコードとは、補助的な携帯電話３に個別に設定されたＩＤコード（補助的な携帯電話３のＩＤコード＝サブＩＤコード）である。尚、このサブＩＤコードは、主となる携帯電話２側において、所定の計算式が用いられて、主となる携帯電話２のＩＤコード（メインＩＤコード）に基づいて生成されるものである。
【００５９】
他方、通信暗号化アルゴリズムとは、携帯電話３と作動制御装置４との双方向通信を確立させるために作動制御装置４から送信されてくるリクエスト信号を携帯電話３に適応する方式で復調することで、該リクエスト信号を携帯電話３で好適に受信できるようにするために用いられるアルゴリズムである。また、同通信暗号化アルゴリズムとは、前記リクエスト信号に応答して携帯電話３から前記携帯電話固有ＩＤコードを含む信号（サブＩＤコード信号）を送信するのに際して、該信号を作動制御装置４に適応する方式で変調することで、該信号が作動制御装置４で好適に受信されるようにするために用いられるアルゴリズムでもある。つまり、通信暗号化アルゴリズムとは、携帯電話３と作動制御装置４との双方向通信が円滑に行われるようにするためのアルゴリズムであると言える。尚、上記したように、本実施形態では、主となる携帯電話２が供される自動車と、補助的な携帯電話３が供される自動車とが同一のものであることが前提となることから、主となる携帯電話２のメモリ２５ａ（図２（ｂ）参照）に記憶されている通信暗号化アルゴリズムと同一のものが携帯電話３のメモリ３５ａに記憶される。
【００６０】
最後に、携帯電話３のメモリ３５ａに記憶される作動許可内容とは、補助的な携帯電話３が電子キーとして利用されるのに際して、どのような態様で制御対象の作動が許可されるのかの指標となるものである。本実施形態において、携帯電話３のメモリ３５ａに記憶される作動許可内容（サブ作動許可内容）とは、主となる携帯電話２のメモリ２５ａ（図２（ｂ）参照）に記憶されている前記メイン作動許可内容を限度として制限がかけられたものである。具体的には、車載ドアのアンロック許可の有効回数が５回、同じく有効期間が１日間、エンジンの始動許可の有効回数が０回、同じく有効期間が０秒に設定されていることとする。要するに、補助的な携帯電話３が電子キーとして利用される場合、１日間限定で最高５回に亘って車載ドアのアンロック許可が行われる一方で、エンジンの始動許可が一切行われないことを意味している。尚、このサブ作動許可内容は、主となる携帯電話２側において、該主となる携帯電話２の所有者の意志の元で予め決定されるものである。
【００６１】
マイコン３５は、上記のように前記通信回路３４から受信信号が入力されると、リクエスト信号に応答するために、メモリ３５ａに記憶されている前記携帯電話固有ＩＤコード（補助的な携帯電話３のＩＤコード＝サブＩＤコード）を含む信号、つまりサブＩＤコード信号を前記通信回路３４に出力する。前記通信回路３４は、マイコン３５から入力されたサブＩＤコード信号を所定周波数（本実施形態では２．４５ＧＨｚ）の電波に変調して送信するためのものでもある。
【００６２】
ところで、補助的な携帯電話３が電子キーとして利用される場合、該利用に先立って、所定のデータが添付された電子メールが、上記のように、主となる携帯電話２から補助的な携帯電話３に送信されることに加えて、本実施形態では、所定の電子メールが、主となる携帯電話２から作動制御装置４に送信される。即ち、かかる場合、主となる携帯電話２の携帯電話機能部２１により補助的な携帯電話３に送信される情報であって、前記サブＩＤコード（図５（ｂ）参照）と前記サブ作動許可内容（図５（ｂ）参照）とが関連付けされた情報を含む電子メールが、主となる携帯電話２の携帯電話機能部２１から作動制御装置４に送信される。
【００６３】
これに対し、作動制御装置４は、主となる携帯電話２との電子メール通信に関連して、受信機能を有している。即ち、作動制御装置４は、電子メール機能部４４をさらに備えている。
【００６４】
電子メール機能部４４は、主となる携帯電話２から送信されてくる電子メールを受信すると、該電子メールを照合ＥＣＵ４３に適応する方式に変換して受信データを生成し、その受信データを照合ＥＣＵ４３に出力する。
【００６５】
照合ＥＣＵ４３は、このように電子メール機能部４４から受信データが入力されると、該受信データに含まれている情報、つまりサブＩＤコードとサブ作動許可内容とが関連付けされた情報を照合ＥＣＵ４３のメモリ４３ａに記憶させる（図４（ｂ）参照）。
【００６６】
加えて、作動制御装置４は、補助的な携帯電話３との双方向通信に関連して、送信機能及び受信機能を有している。尚、これらの機能は、主となる携帯電話２との双方向通信に関連する送信機能及び受信機能と同様であり、記載内容が一部重複するが、以下、異なる部分を中心に説明する。
【００６７】
即ち、照合ＥＣＵ４３は、前記車外通信領域Ａ４１（図３参照）にリクエスト信号を送信するために、車外通信ユニット４１にリクエスト信号を出力する（車外通信制御）。車外通信ユニット４１は、照合ＥＣＵ４３から入力されるリクエスト信号を所定周波数（２．４５ＧＨｚ）の電波に変調して車外通信領域Ａ４１に送信する。ちなみに、このように送信されるリクエスト信号は、車外通信領域Ａ４１内において、携帯電話３と作動制御装置４との双方向通信を確立させるためのものでもある。
【００６８】
また、同車外通信ユニット４１は、前記リクエスト信号に応答して携帯電話３から送信されてくるサブＩＤコード信号を受信すると、そのサブＩＤコードを復調して受信信号を生成し、その受信信号を照合ＥＣＵ４３に出力する。
【００６９】
照合ＥＣＵ４３は、前記車外通信制御に基づいて、車外通信ユニット４１から受信信号が入力されると、その受信信号に含まれている携帯電話３のＩＤコード（サブＩＤコード）と、メモリ４３ａに記憶されている自動車側のサブＩＤコードとが一致しているか否かを判断する。つまり、この場合、照合ＥＣＵ４３は、車外サブＩＤコード照合を実行する。
【００７０】
そして、同照合ＥＣＵ４３は、前記車外サブＩＤコード照合により両サブＩＤコードが一致したと判断した場合、該一致したサブＩＤコードに関連付けされている作動許可内容（サブ作動許可内容）に車載ドアのアンロック許可が含まれているか否かを判断する。ここで、本実施形態において、サブＩＤコードに関連付けされているサブ作動許可内容は、１日間限定で最高５回に亘って車載ドアのアンロック許可が行われることを含むように設定されていることから、前記判断に際して照合ＥＣＵ４３により肯定判断されることになる。
【００７１】
そして、照合ＥＣＵ４３は、前記車外サブＩＤコード照合により両サブＩＤコードが一致して、且つサブＩＤコードに関連付けされている作動許可内容（サブ作動許可内容）に車載ドアのアンロック許可が含まれていると判断したことを条件として、ドアＥＣＵ５０にドアアンロック許可信号を出力する。つまり、この場合にも、照合ＥＣＵ４３は、ドアアンロック許可制御を実行する。その結果、ドアＥＣＵ５０は、このように照合ＥＣＵ４３からドアアンロック許可信号が入力されている状態で、ドアアウトサイドハンドルに触れられている旨を検出すると、図示しないアクチュエータを制御することにより車載ドアをアンロックさせる。
【００７２】
このように本実施形態の電子キーシステム１は、車外通信ユニット４１と照合ＥＣＵ４３とが協働することで、対応する携帯電話３（電子キー）を所持している者が車外通信領域Ａ４１に進入してきた場合に、車載ドアのアンロックを自動的に許可する機能、つまりドアアンロック自動許可機能を有している。尚、このような者が車外通信領域Ａ４１に進入してくる行動は不定であるが、このような行動がある度に、上記のようなドアアンロック自動許可機能を有効にする必要がある。このため、照合ＥＣＵ４３は、対応する携帯電話３を所持している者の接近を監視するため、車載ドアがロックされている状態において、車外通信ユニット４１にリクエスト信号を間欠的に出力する。
【００７３】
一方、前記照合ＥＣＵ４３は、前記車内通信領域Ａ４２（図３参照）にリクエスト信号を送信するために、車内通信ユニット４２にリクエスト信号を出力する（車内通信制御）。車内通信ユニット４２は、照合ＥＣＵ４３から入力されるリクエスト信号を所定周波数（２．４５ＧＨｚ）の電波に変調して車内通信領域Ａ４２に送信する。ちなみに、このように送信されるリクエスト信号は、車内通信領域Ａ４２内において、携帯電話３と作動制御装置４との双方向通信を確立させるためのものでもある。
【００７４】
また、同車内通信ユニット４２は、前記リクエスト信号に応答して携帯電話３から送信されてくるサブＩＤコード信号を受信すると、そのサブＩＤコードを復調して受信信号を生成し、その受信信号を照合ＥＣＵ４３に出力する。
【００７５】
照合ＥＣＵ４３は、前記車内通信制御に基づいて、車内通信ユニット４２から受信信号が入力されると、その受信信号に含まれている携帯電話３のＩＤコード（サブＩＤコード）と、メモリ４３ａに記憶されている自動車側のサブＩＤコードとが一致しているか否かを判断する。つまり、この場合、照合ＥＣＵ４３は、車内サブＩＤコード照合を実行する。
【００７６】
そして、同照合ＥＣＵ４３は、前記車内サブＩＤコード照合により両サブＩＤコードが一致したと判断した場合、該一致したサブＩＤコードに関連付けされている作動許可内容（サブ作動許可内容）にエンジンの始動許可が含まれているか否かを判断する。ここで、本実施形態において、サブＩＤコードに関連付けされているサブ作動許可内容は、エンジンの始動許可が一切行われないことを含むように設定されていることから、前記判断に際して照合ＥＣＵ４３により否定判断されることになる。
【００７７】
そして、照合ＥＣＵ４３は、前記車内サブＩＤコード照合により両サブＩＤコードが一致しても、サブＩＤコードに関連付けされている作動許可内容（サブ作動許可内容）にエンジンの始動許可が含まれていないと判断した場合、ＥＦＩＥＣＵ６０にエンジン始動許可信号を出力しない。その結果、ＥＦＩＥＣＵ６０により、エンジンが始動されることはない。
【００７８】
ちなみに、サブＩＤコードに関連付けされているサブ作動許可内容が、本実施形態とは異なり、エンジンの始動許可が行われることを含むように設定されている場合、サブ作動許可内容にエンジンの始動許可が含まれているか否かの判断に際して照合ＥＣＵ４３により肯定判断されることになる。
【００７９】
そして、照合ＥＣＵ４３は、前記車内サブＩＤコード照合により両サブＩＤコードが一致して、且つサブＩＤコードに関連付けされている作動許可内容（サブ作動許可内容）にエンジンの始動許可が含まれていると判断したことを条件として、ＥＦＩＥＣＵ６０にエンジン始動許可信号を出力する。つまり、この場合にも、照合ＥＣＵ４３は、エンジン始動許可制御を実行する。その結果、ＥＦＩＥＣＵ６０は、このように照合ＥＣＵ４３からエンジン始動許可信号が入力されている状態で、ブレーキ操作が行われている旨を検出して、且つエンジン始動スイッチ８０が操作されている旨を検出すると、図示しないセルモータを制御することによりエンジンを始動させる。
【００８０】
このように本実施形態の電子キーシステム１は、車内通信ユニット４２と照合ＥＣＵ４３とが協働することで、対応する携帯電話３（電子キー）が車内に持ち込まれた場合に、エンジンの始動を自動的に許可する機能、つまりエンジン始動自動許可機能を有している。尚、照合ＥＣＵ４３は、このようなエンジン始動自動許可機能を有効にするために、車載ドアが開けられたことをトリガとして、車内通信ユニット４２にリクエスト信号を間欠的に出力する。
【００８１】
以上、詳述したように本実施形態によれば、次のような作用、効果を得ることができる。
（１）対応する携帯電話２（携帯電話３）が電子キーとして利用されると、該携帯電話２（携帯電話３）のメインＩＤコード（サブＩＤコード）に関連付けされているメイン作動許可内容（サブ作動許可内容）で制御対象の作動が許可される。つまり、電子キーとしての利用価値が携帯電話毎に個別に付与されることになる。従って、電子キーとしての利用価値を携帯電話２（携帯電話３）に対して柔軟に付与することができる。
【００８２】
（２）上記（１）のように、電子キーとしての利用価値を補助的な携帯電話３に対して付与することができることから、自動車の所有者以外の者に自動車を貸与する場合において、電子キー（主となる携帯電話２）の貸借が発生しないようにすることができる。
【００８３】
（３）主となる携帯電話２以外にも補助的な携帯電話３が電子キーとして利用されることに基づいて制御対象の作動が許可される。ここで、本実施形態の構成とは異なり、補助的な携帯電話３が電子キーとして利用されるのに際して、主となる携帯電話２と同様の作動許可内容（メイン作動許可内容）で制御対象の作動が許可されるような構成を採用した場合、主となる携帯電話２の所有者の意志に反した態様で制御対象の作動が許可されてしまう虞があって好ましくない。これに対し、本実施形態の構成によれば、主となる携帯電話２の所有者の意志の元で予め決定された作動許可内容（サブ作動許可内容）をサブＩＤコードに関連付けしておくことで、補助的な携帯電話３が電子キーとして利用されるのに際して、主となる携帯電話２の所有者の意志が反映されることになる。従って、柔軟性を損なうことなく、高いセキュリティレベルを維持することができる。
【００８４】
（４）作動許可の種類毎の有効回数、及び作動許可の種類毎の有効期間をサブＩＤコードに関連付けしておくことで、上記（３）に記載の作用、効果を好適に得ることができる。
【００８５】
（５）サブＩＤコードとサブ作動許可内容とが関連付けされた情報を、主となる携帯電話２から作動制御装置４に送信するのに際して電子メールを用いている。このため、主となる携帯電話２の所有者は、サブＩＤコードとサブ作動許可内容とが関連付けされた情報を携帯電話２から送信するのに際して、自動車の近くまで出向く必要がないことから簡便である。
【００８６】
尚、前記実施形態は、次のように変更して具体化することも可能である。
・主となる携帯電話２と作動制御装置４とを対応させるための登録作業に際して、メインＩＤコードとメイン作動許可内容とを関連付けすること（図４（ａ）参照）に加えて、サブＩＤコードとサブ作動許可内容とをも関連付けして照合ＥＣＵ４３のメモリ４３ａに予め記憶させておく構成としてもよい。この場合、主となる携帯電話２の所有者が所有する自動車を貸与する場合のように、補助的な携帯電話３が電子キーとして利用される場合、該利用に先立って、サブＩＤコードとサブ作動許可内容とが関連付けされた情報を含む電子メールが、主となる携帯電話２の携帯電話機能部２１から補助的な携帯電話３に送信される。ただし、この場合、前記実施形態とは異なり、サブＩＤコードとサブ作動許可内容とが関連付けされた情報を含む電子メールが、主となる携帯電話２の携帯電話機能部２１から作動制御装置４に送信されることを省略することができる。
【００８７】
・補助的な携帯電話３が電子キーとして利用されるのに先立って、該補助的な携帯電話３を電子キーとして利用するために必要なアプリケーションソフトを、該補助的な携帯電話３の所有者自身がダウンロードする構成としてもよい。
【００８８】
・前記実施形態において、主となる携帯電話２から補助的な携帯電話３への電子メールの送信処理と、主となる携帯電話２から作動制御装置４への電子メールの送信処理とは、いずれが先に行われてもよい。
【００８９】
・サブＩＤコードとサブ作動許可内容とが関連付けされた情報を、主となる携帯電話２から作動制御装置４に送信する手法は、電子メールに限定されない。例えば、自動車に近距離無線通信ユニットを搭載することで、主となる携帯電話２の近距離無線通信ユニット２３と自動車側の近距離無線通信ユニットとの間で近距離無線通信を可能に構成し、サブＩＤコードとサブ作動許可内容とが関連付けされた情報を、主となる携帯電話２の近距離無線通信ユニット２３から作動制御装置４に送信してもよい。
【００９０】
・１台の自動車に対して複数台（主となる携帯電話２と補助的な携帯電話３とを含めて合計で、例えば最大８台）の携帯電話の各々を電子キーとして利用可能な電子キーシステムに具体化してもよい。つまり、補助的な携帯電話が複数台であっても当然構わない。この場合、携帯電話毎に個別に設定されたＩＤコードと同一のＩＤコードを、両ＩＤコードが一致したことを条件としてどのような態様で制御対象の作動が許可されるのかの指標となる作動許可内容と関連付けして照合ＥＣＵ４３のメモリ４３ａに記憶させておく。
【００９１】
・主となる携帯電話２のＩＤコード（メインＩＤコード）に関連付けされるメイン作動許可内容と、補助的な携帯電話３のＩＤコード（サブＩＤコード）に関連付けされるサブ作動許可内容とが同一であってもよい。この場合、主となる携帯電話２と補助的な携帯電話３とに対して各々付与される電子キーとしての利用価値は、互いに同一のものとなる。
【００９２】
・非常に稀な具体例ではあるが、主となる携帯電話２のＩＤコード（メインＩＤコード）に関連付けされるメイン作動許可内容の限度を超えて、補助的な携帯電話３のＩＤコード（サブＩＤコード）に関連付けされるサブ作動許可内容を設定してもよい。
【００９３】
・サブ作動許可内容は、メイン作動許可内容を限度として、制御対象の作動が許可される際の該作動許可の種類毎の有効回数、及び制御対象の作動が許可される際の該作動許可の種類毎の有効期間のうち少なくともいずれか一方に制限がかけられたものとなるように、主となる携帯電話２の所有者の意志の元で適宜変更することが可能である。
【００９４】
・メイン作動許可内容又はサブ作動許可内容を問わず、作動許可内容の限度に達した時点で、携帯電話毎に個別に設定されたＩＤコードと同一のＩＤコード及びそのＩＤコードに関連付けされた作動許可内容を照合ＥＣＵ４３のメモリ４３ａから消去する構成としてもよい。
【００９５】
・主となる携帯電話２から補助的な携帯電話３に送信される情報（サブＩＤコード及びサブ作動許可内容）を活用して、サブ作動許可内容に関するメッセージを補助的な携帯電話３の表示部に表示することで、補助的な携帯電話３に与えられた権限を補助的な携帯電話３の所有者に報知する構成としてもよい。この場合、かかるメッセージとして、例えば「この携帯電話で明日の午前８時〜明後日の午前８時までの期間、Ａさん所有の車のドアを最高５回開けることができるようになりました」を補助的な携帯電話３の表示部に表示する構成としてもよい。
【００９６】
・上記のようにサブ作動許可内容に関するメッセージを補助的な携帯電話３の表示部に表示する構成において、補助的な携帯電話３が電子キーとして利用される度に、補助的な携帯電話３に以後与えられている権限をカウントダウン表示する構成としてもよい。例えば、上記の例において補助的な携帯電話３が電子キーとして１回利用された場合、「明日の午前８時までに４回開けられます」を補助的な携帯電話３の表示部に表示する構成としてもよい。
【００９７】
・サブＩＤコード及びサブ作動許可内容のうち、サブ作動許可内容を省略してサブＩＤコードのみを、主となる携帯電話２から補助的な携帯電話３に送信する構成としてもよい。ただし、この場合でも、サブＩＤコード及びサブ作動許可内容の両方が、主となる携帯電話２から作動制御装置４に送信されることとする。
【００９８】
・携帯電話毎に個別に設定されたＩＤコードと同一のＩＤコード及びそのＩＤコードに関連付けされた作動許可内容が照合ＥＣＵ４３のメモリ４３ａに記憶されているのであれば、携帯電話２（携帯電話３）のメモリ２５ａ（メモリ３５ａ）にメイン作動許可内容（サブ許可内容）が記憶されていなくてもよい。
【００９９】
・作動許可の種類として、車載ドアのアンロック許可及びエンジンの始動許可の少なくとも一方に加えて又は代えて、車載アクセサリの使用許可及び車載空調機器の使用許可等の少なくとも１つが含まれていてもよいことは言うまでもない。
【０１００】
・作動制御装置４との双方向通信が可能なものであれば、通信端末は携帯電話に限定されない。
・対応する携帯電話２（携帯電話３）を所持している者が車外通信領域Ａ４１に進入してきた場合に、車載ドアのアンロックを自動的に許可することに留まらず、車載ドアを実際にアンロックする機能までもを有する電子キーシステムに具体化してもよい。
【０１０１】
・車両（例えば自動車）の電子キーシステムに限らず、建物（例えば住宅）の電子キーシステムに具体化してもよい。
【図面の簡単な説明】
【０１０２】
【図１】電子キーシステムの構成を示すブロック図。
【図２】（ａ）主となる携帯電話のメモリにおいて、初期状態における記憶内容を示す概念図。
【０１０３】
（ｂ）同じくアプリケーションソフトがダウンロードされた後の状態における記憶内容を示す概念図。
【図３】車外通信領域、車内通信領域を示す説明図。
【図４】（ａ）照合ＥＣＵのメモリにおいて、初期登録後における記憶内容を示す概念図。
【０１０４】
（ｂ）同じく電子メールが受信された後の状態における記憶内容を示す概念図。
【図５】（ａ）補助的な携帯電話のメモリにおいて、初期状態における記憶内容を示す概念図。
【０１０５】
（ｂ）同じく電子メールが受信された後の状態における記憶内容を示す概念図。
【符号の説明】
【０１０６】
１…電子キーシステム、２…主となる通信端末としての主となる携帯電話、３…補助的な通信端末としての補助的な携帯電話、４…作動制御装置、２１…第１送信手段及び第２送信手段としての携帯電話機能部、４３…制御手段としての照合ＥＣＵ、４３ａ…記憶手段としてのメモリ。
【図１】
2005273264.tif 000003
【図２】
2005273264.tif 000004
【図３】
2005273264.tif 000005
【図４】
2005273264.tif 000006
【図５】
2005273264.tif 000007